(57)【要約】    【課題】  複数の包装体の少なくとも一つに薬剤を収容した長尺の包装シートを分断装置にて１又は連続した２以上の前記包装体からなる包装体群に順次分断していき、当該分断された前記包装体群を搬送装置にて順次搬送していく薬剤分包装置であって、一の処方での包装体群と次段の他の処方での包装体群との見分けを付け易くでき、これにより包装体群の取り違いを十分抑制でき、それだけ患者に対し正しい包装体を提供することができる薬剤分包装置を提供する。    【解決手段】  薬剤分包装置１００は、カッター装置６０にて切断された包装体群Ｈについて、所定処方のうち、一の処方中は搬送装置７０にて所定の基準搬送速度で搬送し、且つ、前記一処方と次段の他の処方との間はコンベア７０にて基準搬送速度より速い搬送速度で搬送し、さらに前記他処方中は基準搬送速度に戻す。【選択図】  図６
2006001626.tif 000002
【特許請求の範囲】
【請求項１】
所定の処方に基づいて供給された薬剤をそれぞれが個別に区画されるとともに長手方向に沿って並設される複数の包装体の少なくとも一つに収容した長尺の包装シートを１又は連続した２以上の前記包装体からなる包装体群に分断する分断装置と、前記分断装置にて分断された前記包装体群を搬送する搬送装置とを備え、薬剤の分包動作にあたり、前記包装シートを前記分断装置にて前記包装体群に順次分断していき、当該分断された前記包装体群を前記搬送装置にて順次搬送していく薬剤分包装置において、
前記分断装置にて分断された前記包装体群について、前記所定処方のうち、一の処方中は前記搬送装置にて所定の基準搬送速度で搬送し、且つ、前記一処方と次段の他の処方との間は前記搬送装置にて前記基準搬送速度より速い搬送速度で搬送し、さらに前記他処方中は基準搬送速度に戻すことを特徴とする薬剤分包装置。
【発明の詳細な説明】
【技術分野】
【０００１】
本発明は、所定の処方に基づいて供給された薬剤をそれぞれが個別に区画されるとともに長手方向に沿って並設される複数の包装体の少なくとも一つに収容した長尺の包装シートを１又は連続した２以上の前記包装体からなる包装体群に分断する分断装置と、前記分断装置にて分断された前記包装体群を搬送する搬送装置とを備え、薬剤の分包動作にあたり、前記包装シートを前記分断装置にて前記包装体群に順次分断していき、当該分断された前記包装体群を前記搬送装置にて順次搬送していく薬剤分包装置に関する。
【背景技術】
【０００２】
従来の薬剤分包装置のなかには、例えば、所定の処方に基づいて散薬や錠剤（散薬等をカプセルに入れたものを含む、以下同じ）等の薬剤を所定量毎に分配するとともに当該分配された所定量毎の薬剤を長尺の包装シートに順次供給し、当該長尺の包装シートを順次シールすることで、それぞれが個別に区画された複数の包装体を長手方向に沿って順次形成していく薬剤分包装置であって、前記所定処方に基づいて供給された薬剤を前記複数の包装体の少なくとも一つに収容した前記包装シートをカッター装置等の分断装置にて１又は連続した２以上の前記包装体からなる包装体群に順次分断していき、当該分断された前記包装体群をコンベア等の搬送装置にて順次搬送していく薬剤分包装置がある。
【０００３】
このような従来の薬剤分包装置の薬剤分包動作について、次のような薬剤の処方を例にとって以下に具体的に説明する。図８は、従来の薬剤分包装置において、それぞれが個別に区画された複数の包装体が長手方向に沿って並設される長尺の包装シートから分断された１又は連続した２以上の包装体からなる包装体群がベルトコンベア７０にて順次搬送されていく状態を示す図である。
【０００４】
例えば、一（の患者）の処方Ａでは、「朝食後」、「昼食後」及び「夕食後」に散薬と錠剤を３日間服用するように指示されていて、他（の患者）の処方Ｂでは、「朝食後」、「昼食後」及び「夕食後」に散薬を２日間服用するように指示されている場合においては、先ず、一処方Ａに基づいて分配された「朝食後」、「昼食後」及び「夕食後」用の所定量毎の薬剤を長尺の包装シート３００に順次供給し、当該長尺の包装シート３００を順次シールすることで、それぞれが個別に区画された「朝食後」用、「昼食後」用、「夕食後」用或いは「空」の包装体ｈを長手方向Ｘに沿って順次形成していき、さらに一処方Ａに基づいて供給された薬剤を収容した包装シート３００を図示を省略したカッター装置にて、連続した、「空」、「朝食後」用、「昼食後」用及び「夕食後」用の四つの包装体ｈからなる包装体群Ｈａ、「朝食後」用、「昼食後」用及び「夕食後」用の三つの包装体ｈからなる包装体群Ｈａ、並びに「朝食後」用、「昼食後」用、「夕食後」用及び「空」の四つの包装体からなる包装体群Ｈａに順次切断していき、図８（Ａ）中のＡに示すように、当該切断された３日分の包装体群Ｈａをベルトコンベア７０にて所定の搬送方向（図中Ｘ１）に所定の搬送速度で搬送していく。
【０００５】
次に、前記一処方Ａと同様にして、他処方Ｂに基づいて分配された「朝食後」用、「昼食後」用及び「夕食後」用の所定量毎の薬剤をシート３００に順次供給し、当該シート３００を順次シールすることで、それぞれが個別に区画された「朝食後」用、「昼食後」用、「夕食後」用或いは「空」の包装体ｈを長手方向Ｘに沿って順次形成していき、さらに他処方Ｂに基づいて供給された薬剤を収容したシート３００を図示を省略したカッター装置にて、連続した、「空」、「朝食後」用、「昼食後」用及び「夕食後」用の四つの包装体ｈからなる包装体群Ｈｂ、並びに「朝食後」用、「昼食後」用、「夕食後」用及び「空」の四つの包装体ｈからなる包装体群Ｈｂに順次切断していき、図８（Ａ）中のＢに示すように、当該切断された２日分の包装体群Ｈｂをコンベア７０にて所定の搬送速度で搬送していく。
【０００６】
なお、所定の処方において、薬剤を収容したシート３００を、例えば、３包ずつ、４包ずつ、処方の半分等、或いは図８（Ｂ）に示すように、「空」及び「朝食後」用の２包の包装体ｈからなる包装体群Ｈａ１，Ｈｂ１、「朝食後」用、「昼朝食後」用又は「夕食後」用の１包の包装体ｈからなる包装体群Ｈａ２，Ｈｂ２、「夕食後」用及び「空」の２包の包装体ｈからなる包装体群Ｈａ３，Ｈｂ３にそれぞれ切断し、当該切断された包装体群Ｈａ１〜Ｈａ３，Ｈｂ１〜Ｈｂ３をコンベア７０にて所定の搬送速度で搬送することもある。
【発明の開示】
【発明が解決しようとする課題】
【０００７】
ところが、前記したような従来の薬剤分包装置では、搬送される包装体群について、隣り合う包装体群間の距離（図８（Ａ）の例では、包装体群（Ｈａ，Ｈａ）間の距離Ｒ１、包装体群（Ｈｂ，Ｈｂ）間の距離Ｒ２及び包装体群（Ｈａ，Ｈｂ）間の距離Ｒ３、図８（Ｂ）の例では、包装体群（Ｈａ１，Ｈａ２）間、（Ｈａ２，Ｈａ２）間、（Ｈａ２，Ｈａ３）間の距離Ｒ１、包装体群（Ｈｂ１，Ｈｂ２）間、（Ｈｂ２，Ｈｂ２）間、（Ｈｂ２，Ｈｂ３）間の距離Ｒ２及び包装体群（Ｈａ３，Ｈｂ１）との間の距離Ｒ３）は、いずれも略同じ距離になっており、一処方Ａでの包装体群Ｈａと他処方Ｂでの包装体群Ｈｂ、一処方Ａでの包装体群Ｈａ１〜Ｈａ３と他処方Ｂでの包装体群Ｈｂ１〜Ｈｂ３との見分けが付き難く、これにより包装体群を取り違えてしまうと、患者に対し誤った包装体を提供してしまうといった問題が生じ易い。
【０００８】
本発明は、斯かる従来技術の問題を解決するべくなされたものであり、所定の処方に基づいて供給された薬剤をそれぞれが個別に区画されるとともに長手方向に沿って並設される複数の包装体の少なくとも一つに収容した長尺の包装シートを１又は連続した２以上の前記包装体からなる包装体群に分断する分断装置と、前記分断装置にて分断された前記包装体群を搬送する搬送装置とを備え、薬剤の分包動作にあたり、前記包装シートを前記分断装置にて前記包装体群に順次分断していき、当該分断された前記包装体群を前記搬送装置にて順次搬送していく薬剤分包装置であって、一の処方での包装体群と次段の他の処方での包装体群との見分けを付け易くでき、これにより包装体群の取り違いを十分抑制でき、それだけ患者に対し正しい包装体を提供することができる薬剤分包装置を提供することを課題とする。
【課題を解決するための手段】
【０００９】
本発明は、前記課題を解決するため、所定の処方に基づいて供給された薬剤をそれぞれが個別に区画されるとともに長手方向に沿って並設される複数の包装体の少なくとも一つに収容した長尺の包装シートを１又は連続した２以上の前記包装体からなる包装体群に分断する分断装置と、前記分断装置にて分断された前記包装体群を搬送する搬送装置とを備え、薬剤の分包動作にあたり、前記包装シートを前記分断装置にて前記包装体群に順次分断していき、当該分断された前記包装体群を前記搬送装置にて順次搬送していく薬剤分包装置において、前記分断装置にて分断された前記包装体群について、前記所定処方のうち、一の処方中は前記搬送装置にて所定の基準搬送速度で搬送し、且つ、前記一処方と次段の他の処方との間は前記搬送装置にて前記基準搬送速度より速い搬送速度で搬送し、さらに前記他処方中は基準搬送速度に戻すことを特徴とする薬剤分包装置を提供する。
【００１０】
本発明に係る薬剤分包装置によると、前記分断装置にて分断された前記包装体群について、前記所定処方のうち、一の処方中は前記搬送装置にて所定の基準搬送速度で搬送し、且つ、前記一処方と次段の他の処方との間は前記搬送装置にて前記基準搬送速度より速い搬送速度で搬送し、さらに前記他処方中は基準搬送速度に戻すので、前記搬送装置にて搬送される包装体群について、前記一処方での包装体群と前記他処方での包装体群との間の距離を同じ処方内での隣り合う包装体群間の距離より大きくすることができ、これにより、前記一処方での包装体群と前記他処方での包装体群との見分けを付け易くでき、ひいては包装体群の取り違いを少なくでき、患者に対し誤った包装体を提供することを十分抑制することができる。
【００１１】
本発明にいう「一の処方」及び「他の処方」は互いに異なる内容の処方であってもよいし、同一内容の処方であってもよい。前記搬送装置としては、代表的にはベルトコンベアを例示できる。本発明に係る薬剤分包装置として、例えば、前記包装シートに形成される前記包装体の前記長手方向の幅が可変するように（さらに具体的に言えば、それには限定されないが６０ｍｍ、７０ｍｍ、８０ｍｍ又は９０ｍｍのいずれかに可変するように）構成されている薬剤分包装置を挙げることができる。かかる薬剤分包装置では、前記搬送装置の基準搬送速度を、前記包装体の前記長手方向の幅が大きいほど速くするように構成することができる。このような薬剤分包装置においても、分断された包装体群について、一の処方中は前記包装体の前記長手方向の幅に応じた基準搬送速度で搬送し、且つ、前記一処方と次段の他の処方との間は、前記包装体の前記長手方向の幅に応じた複数の基準搬送速度のなかで最速の基準搬送速度よりも速い搬送速度で搬送することで、前記搬送装置にて搬送される包装体群について、前記一処方での包装体群と前記他処方での包装体群との間の距離を同じ処方内での隣り合う包装体群間の距離より大きくすることができ、これにより、前記一処方での包装体群と前記次段の他処方での包装体群との見分けを付け易くでき、ひいては包装体群の取り違いを少なくでき、患者に対し誤った包装体を提供することを十分抑制することができる。
【発明の効果】
【００１２】
以上説明したように本発明に係る薬剤分包装置によれば、所定の処方に基づいて供給された薬剤をそれぞれが個別に区画されるとともに長手方向に沿って並設される複数の包装体の少なくとも一つに収容した長尺の包装シートを１又は連続した２以上の前記包装体からなる包装体群に分断する分断装置と、前記分断装置にて分断された前記包装体群を搬送する搬送装置とを備え、薬剤の分包動作にあたり、前記包装シートを前記分断装置にて前記包装体群に順次分断していき、当該分断された前記包装体群を前記搬送装置にて順次搬送していく薬剤分包装置であって、一の処方での包装体群と次段の他の処方での包装体群との見分けを付け易くでき、これにより包装体群の取り違いを十分抑制でき、それだけ患者に対し正しい包装体を提供することができる。
【発明を実施するための最良の形態】
【００１３】
以下、添付図面を適宜参照しつつ、本発明に係る薬剤分包装置の一実施形態について説明する。
【００１４】
図１は、本発明に係る薬剤分包装置の一実施形態の概略斜視図である。図１に示すように、薬剤分包装置１００は、グラシンポリエチレン又はセロハンポリエチレン等からなる長尺の熱溶着性の包装シート３００に対してヒートシールを行うためのヒートシール装置１と、薬剤（散薬及び／又は錠剤）を所定量毎に分配し且つ当該所定量毎の薬剤を排出する薬剤分配装置２００と、該薬剤分配装置２００から排出される薬剤をヒートシール装置１によってシート３００に形成される包装体内へ供給する薬剤供給装置４００と、支持壁１１を有する架台部材１０と、支持壁１１の一方面側１１ａから他方面側に向かう方向に沿って延びるように支持壁１１に相対回転自在に装着された紙管ドラム２０と、紙管ドラム２０に支持された紙管体３１０から包装シート３００を繰り出す駆動装置（図示せず）と、分断装置の一例であるカッター装置６０と、搬送装置の一例であるベルトコンベア７０と、これらの装置に接続されて薬剤分包装置全体を制御する制御部ＣＯＮＴ（図１では図示を省略、図４参照）とを備え、所定の処方に基づいて供給された薬剤をそれぞれが個別に区画されるとともに長手方向に沿って並設される複数の包装体の少なくとも一つに収容した長尺の包装シート３００をカッター装置６０にて１又は連続した２以上の包装体からなる包装体群に順次切断していき、当該切断された包装体群をコンベア７０にて順次搬送していくものである。
【００１５】
なお、図中の符号９１〜９３は、紙管体３１０から繰り出されたシート３００を案内する案内バーであり、必要又は所望に応じて、薬剤分包装置１００に備えられる。
【００１６】
図２は、図１に示す薬剤分包装置１００において、薬剤分配装置２００から薬剤供給装置４００を経て薬剤が供給される包装シート３００をヒートシール装置１でヒートシールして、個々の包装体ｈを形成する状態を概略的に示す斜視図であり、図３は、図１に示す薬剤分包装置１００のヒートシール装置１、カッター装置６０及びベルトコンベア７０部分を中心に示した概略側面図である。また、図４は、図１に示す薬剤分包装置１００の制御部ＣＯＮＴを中心に記載した概略システムブロック図である。
【００１７】
図２に示すように、紙管ドラム２０には、重合された状態（一枚のシートを長手方向（図中Ｘ方向）に沿った中心線で二つ折りにした状態や二枚のシートを重ね合わせた状態等、種々の態様が含まれる）で搬送される包装シート３００が巻回されており、該シート３００は、案内バー９１、９２、９３を介して、ヒートシール装置１に向けて矢符Ｘ１の方向に搬送される。
【００１８】
ヒートシール装置１は、ヒータ台３Ａと、シート３００の重合面Ｐ１を挟んで対向配置されたヒータ受け台３Ｂと、これらを互いに近接する方向に押動するヒータ押動装置１１０と、シート３００をシート搬送方向Ｘ１に沿って送るシート送り装置４０とを具備している。なお、ヒータ押動装置１１０は図２及び図３において図示を省略してある（図４参照）。
【００１９】
シート送り装置４０は、一対の送りローラ４１と、該送りローラ４１を回転駆動する送りローラ駆動装置１２０（図４参照）を備えており、該送りローラ４１間でシート３００を挟持しつつ、後述するように制御部ＣＯＮＴの指示の下、駆動装置１２０によって該送りローラ４１を所定の周速で断続的に回転駆動することによってシート３００を所定の一定時間毎に所定の基準搬送速度で送ることができる。また、ヒータ台３Ａ及びヒータ受け台３Ｂは、シート３００の重合面Ｐ１に直交する方向へ移動可能とされており、駆動装置１２０による一対の送りローラ４１の回転駆動が停止しているときに、制御部ＣＯＮＴの指示の下、押動装置１１０によって両者が互いに近接する方向へ押動され、これにより、両者によって挟圧されるシート３００をヒートシールし、さらにヒートシールしたあとは、押動装置１１０によるヒータ台３Ａ及びヒータ受け台３Ｂのシート３００への挟圧を解除することができる。このようにしてシート３００は、包装体ｈの長手方向Ｘの一部及び幅方向（図中Ｙ方向）がヒートシールされる。
【００２０】
前述した薬剤分配装置２００（図１参照）から排出された薬剤は、ヒートシール装置１よりもシート３００の搬送方向Ｘ１上流側に配設された薬剤供給装置４００におけるホッパ２１から、制御部ＣＯＮＴの指示の下、薬剤供給装置４００を作動させることで、ヒートシール装置１によってシート３００に形成される包装体ｈのヒートシールされていない長手方向Ｘの開口部を通じて包装体ｈ内へ供給され、当該薬剤が供給されたあと、ヒートシール装置１によって、シート３００のヒートシールされていない長手方向Ｘの開口部及び幅方向Ｙがヒートシールされる。こうしてシート３００に個別に区画されるとともに長手方向Ｘに沿って並設される複数の包装体ｈが形成された長尺の包装シート３００の該複数の包装体ｈの少なくとも一つに所定の処方に基づいて供給された薬剤が収容される。なお、本例では、シート３００に形成される包装体ｈの長手方向Ｘの幅ｄが６０ｍｍ、７０ｍｍ、８０ｍｍ又は９０ｍｍのいずかの幅になるように設定されている。このときシート送り装置４０が所定の一定時間毎にシート３００を送るので、該シート送り装置４０の基準搬送速度は、包装体ｈの長手方向Ｘの幅ｄが大きいほど速くなるように設定されている。
【００２１】
このように薬剤を収容したシート３００は、ローラ駆動装置１２０による一対の送りローラ４１の回転駆動によって該ローラ４１間で挟持されつつカッター装置６０へ向けて搬送される。
【００２２】
カッター装置６０は、図３に示すように、ヒートシール装置１よりシート３００の搬送方向Ｘ１下流側に配設されており、ヒートシール装置１にてヒートシールされて個々の包装体が形成されたシート３００を幅方向Ｙに沿って切断することができるものであり、切断部６１、搬送方向駆動部６２及びコンベア受け部６３から構成されている。切断部６１は全長がシート幅方向Ｙの幅より大きいカッター刃６１ａを備えており、このカッター刃６１ａがシート幅方向Ｙに沿って配置されている。これにより、ヒートシールされたシート３００をシート幅方向Ｙに沿って１又は連続した２以上の包装体からなる包装体群に切断することができる。このとき搬送方向駆動部６２は、切断部６１をシート長手方向Ｘに往復移動可能に接続しており、制御部ＣＯＮＴの指示の下、該切断部６１をシート長手方向Ｘに沿って移動させることで、当該ヒートシールされたヒートシール部分でうまく切断できるようになっている。
【００２３】
コンベア受け部６３は、切断部６１にて切断された包装体群をコンベア７０に導くことができるものであり、入り口部６３ａが切断部６１よりもシート搬送方向Ｘ１下流側に位置するように、且つ、出口部６３ｂが切断部６１からの包装体群をコンベア７０に導くことができるように、該コンベア７０のシート搬送方向Ｘ１最上流側部分に位置するように配置されている。コンベア受け部６３はまた、特に図示していないが、切断部６１にて切断された包装体群を搬送方向Ｘに沿った回転軸心を中心に略９０度回転させてコンベア７０に導くことができるように構成されている。これにより、切断部６１にて切断された包装体群を重合面Ｐ１が後述する水平コンベア７１０のベルト７１３面に略平行になるように案内することができる。
【００２４】
ベルトコンベア７０は、水平コンベア７１０と、第１及び第２垂直コンベア７２０，７３０と、コンベア駆動部７４０とを具備しており、コンベア受け部６３にて案内された包装体群を水平コンベア７１０にて略水平に搬送し、さらに第１及び第２垂直コンベア７２０，７３０間を通して略垂直に搬送して薬剤分包装置１００外に排出することができるものである。
【００２５】
水平コンベア７１０は、水平コンベア用駆動ローラ７１１、水平コンベア用従動ローラ７１２及びこれらローラ７１１，７１２に巻き掛けられた水平コンベア用ベルト７１３を備えており、制御部ＣＯＮＴの指示の下、前記のコンベア駆動部７４０が回転駆動することで、駆動ローラ７１１が図示しない駆動伝達機構を介して図中時計方向に回転駆動され、さらに従動ローラ７１２がベルト７１３によって図中時計方向に従動回転するとともに該ベルト７１３の表面がシート長手方向Ｘに沿って移動することができる。これにより、切断部６１にて切断された包装体群をベルト７１３にて搬送することができる。
【００２６】
水平コンベア７１０はまた、第１及び第２押さえ部７１４，７１５を具備している。この第１及び第２押さえ部７１４，７１５は、それぞれ第１及び第２押さえローラ７１４ａ，７１５ａと、第１及び第２アーム部材７１４，７１５ｄとを備えている。第１アーム部材７１４は、一方の端部における枢支軸７１４ｂで第１押さえローラ７１４ａを回転自在に支持するとともに他方の端部に向かう途中で駆動ローラ７１１及び従動ローラ７１２間に配設された枢支軸７１４ｃにて回動自在に支持されている。第２アーム部材７１５ｄは、一方の端部における枢支軸７１５ｂで第２押さえローラ７１５ａを回転自在に支持するとともに他方の端部が駆動ローラ７１１及び従動ローラ７１２間に配設された枢支軸７１５ｃにて回動自在に支持されている。この水平コンベア７１０では、コンベア７０が作動していない状態では、第１及び第２アーム部材７１４ｄ、７１５ｄがそれぞれ時計方向（図中Ｚ２方向）側及び反時計方向（図中Ｚ１方向）側に配置され（図中鎖線参照）、コンベア受け部６３にて案内された包装体群を搬送する際には、それぞれ第１及び第２押さえローラ７１４ａ，７１５ａがベルト７１３にて搬送される包装体群に接触するように第１及び第２アーム部材７１４ｄ、７１５ｄがそれぞれ反時計方向Ｚ１及び時計方向Ｚ２に回動され、当該包装体群が確実に搬送されるようになっている。なお、第１アーム部材７１４ｄの他方の端部は、押さえローラ７１４ａが時計方向Ｚ２側に常に付勢されるように、装置本体に係止された巻きバネ７１４ｅに接続されている。また、水平コンベア７１０のシート搬送方向Ｘ１最下流側には、ベルト７１３にて搬送される包装体群を第１及び第２垂直コンベア７２０，７３０に導くための搬送ガイド部材７１６が設けられている。
【００２７】
第１及び第２垂直コンベア７２０，７３０は、それぞれ第１及び第２垂直コンベア用駆動ローラ７２１，７３１、第１及び第２垂直コンベア用従動ローラ７２２，７３２及びこれらローラ７２１，７２２及び７３１，７３２にそれぞれ巻き掛けられた第１及び第２垂直コンベア用ベルト７２３，７３３を備えていて、お互いのベルト７２３，７３３のベルト面が対向するように接触配置されており、制御部ＣＯＮＴの指示の下、前記コンベア駆動部７４０が回転駆動することで、駆動ローラ７２１，７３１が図示しない駆動伝達機構を介してそれぞれ図中反時計方向及び時計方向に回転駆動され、さらに従動ローラ７２２，７３２がベルト７２３，７３３によってそれぞれ図中反時計方向及び時計方向に従動回転するとともに該ベルト７２３，７３３の表面がシート長手方向Ｘに沿って移動することができる。ここで前記駆動伝達機構は水平コンベア７１０のベルト７１３及び垂直コンベア７２０，７３０のベルト７２３，７３３の表面移動速度が同じ速度になるように構成されている。これにより、水平コンベア７１０にて搬送されてくる包装体群をベルト７２３，７３３間で挟持しつつ搬送することができる。また、第１及び第２垂直コンベア７２０，７３０のシート搬送方向Ｘ１最下流側にはそれぞれベルト７２３，７３３にて搬送されてくる包装体群を薬剤分包装置１００外に排出するための排出ガイド部材７２４，７３４が設けられている。なお、ベルトコンベア７０の基準搬送速度は、シート送り装置４０の基準搬送速度と同様、包装体ｈの長手方向Ｘの幅に応じて可変するように、包装体ｈの長手方向Ｘの幅ｄが大きいほど速くなるように設定されている。
【００２８】
制御部ＣＯＮＴは、図４に示すように、ヒートシール装置１におけるヒータ押動装置１１０及び送りローラ駆動装置１２０と、薬剤供給装置４００と、カッター装置６０における切断部６１及び搬送方向駆動部６２と、ベルトコンベア７０におけるコンベア駆動部７４０とに電気的に接続されている。
【００２９】
この制御部ＣＯＮＴは、コンピュータを中心に構成されており、ＲＡＭやＲＯＭ等の記憶手段Ｍに記憶された制御プログラムを実行することで、薬剤分包装置１００全体の制御を行うことができるものである。この制御プログラムは、制御部ＣＯＮＴを、基準搬送速度記憶手段Ｐ１、シート送り制御手段Ｐ２、ヒートシール制御手段Ｐ３、薬剤供給制御手段Ｐ４、カッター移動制御手段Ｐ５、カッター切断制御手段Ｐ６及び包装体群搬送制御手段Ｐ７を含む手段として機能させるものである。
【００３０】
基準搬送速度記憶手段Ｐ１では、シート３００をヒートシールするときに包装体ｈの長手方向Ｘの幅が６０ｍｍ、７０ｍｍ、８０ｍｍ、９０ｍｍとなるようにそれぞれ予め設定されたシート送り装置４０及びベルトコンベア７０の複数の基準搬送速度を前記の記憶手段Ｍに記憶しておくことができる。
【００３１】
シート送り制御手段Ｐ２では、手段Ｐ１で記憶された複数の基準搬送速度のうちのいずれかが選択された基準搬送速度を読み出すとともに当該読み出された基準搬送速度でシート３００を断続的に送るように、シート送り装置４０におけるローラ駆動装置１２０を駆動することができる。
【００３２】
ヒートシール制御手段Ｐ３では、シート送り装置４０におけるローラ駆動装置１２０による駆動が停止しているときに、ヒータ押動装置１１０を駆動して、手段Ｐ２にて送られてきたシート３００の長手方向Ｘの一部及び幅方向をヒートシールする一方、ヒートシール後は、押動装置１１０による押動を解除することができる。
【００３３】
薬剤供給制御手段Ｐ４では、シート３００における包装体ｈのヒートシールされていない長手方向の開口部を通じて所定の処方に応じて薬剤分配装置２００から排出される薬剤を供給するように、薬剤供給装置４００を作動することができる。
【００３４】
カッター移動制御手段Ｐ５では、手段Ｐ２にてシート３００が送られた距離に応じて、シート３００のヒートシールされたヒートシール部分にカッター装置６０における切断部６１を移動させるように、搬送方向駆動部６２を駆動することができる。
【００３５】
カッター切断制御手段Ｐ６では、シート３００をシート幅方向Ｙに沿って１又は連続した２以上の包装体からなる包装体群に切断するように、手段Ｐ４にて移動した切断部６１を駆動することができる。
【００３６】
包装体群搬送制御手段Ｐ７では、手段Ｐ１で記憶された複数の基準搬送速度のうちのいずれかが選択された基準搬送速度を読み出すとともに、手段Ｐ６にて切断された包装体群Ｈについて、所定の処方のうち、一の処方中はベルトコンベア７０にて当該読み出された基準搬送速度で搬送し、且つ、前記一処方と次段の他の処方との間はベルトコンベア７０にて手段Ｐ１で記憶された複数の基準搬送速度のなかで最も速い基準搬送速度より速い搬送速度で搬送し、さらに前記他処方中は基準搬送速度に戻すようにベルトコンベア７０におけるコンベア駆動部７４０を駆動することができる。
【００３７】
図５は、図１に示す薬剤分包装置１００の薬剤分包動作の主な処理ルーチンの一例を示すフローチャートである。以下、図５を参照しつつ、薬剤分包装置１００の薬剤分包動作について説明する。
【００３８】
この薬剤分包装置１００では、薬剤分包動作にあたり、手段Ｐ１により記憶手段Ｍに記憶されている複数の基準搬送速度から選択された基準搬送速度を読出し（ステップＳ１）、手段Ｐ７によりベルトコンベア７０におけるベルト７１３，７２３，７３３の表面移動速度がステップＳ１で読み出された基準搬送速度になるように、コンベア駆動部７４０が作動し（ステップＳ２）、また、手段Ｐ２によりシート３００がステップＳ１で読み出された基準搬送速度で断続的に送られるように、シート送り装置４０におけるローラ駆動装置１２０が作動する（ステップＳ３）。次に手段Ｐ３によりヒートシール装置１における押動装置１１０が作動することで、手段Ｐ２により送られてくるシート３００における長手方向Ｘの一部及び幅方向がヒートシールされる（ステップＳ４）。ここで、形成される包装体が空包のときは、ステップＳ３に移行する一方、空砲でないときは、ステップＳ６に移行する（ステップＳ５）。ステップＳ６では、手段Ｐ４により薬剤供給装置４００が作動することで、シート３００における包装体ｈのヒートシールされていない長手方向の開口部を通じて所定の処方に応じて薬剤分配装置２００から排出された薬剤が供給される。こうして包装体が形成されたシート３００について、切断動作が行われないときは、ステップＳ３〜ステップＳ６の動作が繰り返される一方、切断動作が行われるときは、ステップＳ８に移行する（ステップＳ７）。
【００３９】
ステップＳ８では、手段Ｐ５によりカッター装置６０における搬送方向駆動部６２が作動することで、手段Ｐ２によりシート３００が送られる距離に応じて、ヒートシール部分にカッター装置６０における切断部６１が移動し、ステップＳ９において、手段Ｐ６により切断部６１が作動することで、シート３００がシート幅方向Ｙに沿って１又は連続した２以上の包装体からなる包装体群Ｈに切断される。ここで、一の処方が続く場合には、ステップＳ３〜ステップＳ９の動作が繰り返される一方、一の処方が終了する場合には、ステップ１１に移行する（ステップＳ１０）。ステップＳ１１では、手段Ｐ７により、記憶手段Ｍに記憶された複数の基準搬送速度のうちの最速の基準搬送速度より速い速度でベルトコンベア７０におけるコンベア駆動部７４０が作動する。ここで、所定の処方が終了せずに次段の他の処方が開始されると（ステップＳ１３）、ステップＳ１に移行し、ステップＳ１〜ステップＳ１１の動作が繰り返される一方、所定の処方が終了すると、薬剤分包動作が終了する（ステップＳ１２）。かくして、手段Ｐ６により切断された包装体群Ｈについて、所定の処方のうち、一の処方中はベルトコンベア７０にて、記憶手段Ｍから読み出された基準搬送速度で搬送され、且つ、前記一処方と次段の他の処方との間はベルトコンベア７０にて前記基準搬送速度より速い搬送速度で搬送され、さらに前記他処方中は基準搬送速度に戻される。
【００４０】
以上説明した薬剤分包装置１００では、例えば、一（の患者）の処方Ａにおいて、「朝食後」、「昼食後」及び「夕食後」に散薬を３日間服用するように指示されていて、他（の患者）の処方Ｂにおいて、「朝食後」、「昼食後」及び「夕食後」に散薬と錠剤を２日間服用するように指示されている場合、先ず、一処方Ａに基づいて分配された「朝食後」、「昼食後」及び「夕食後」用の所定量毎の薬剤を長尺の包装シート３００に順次供給し、当該長尺の包装シート３００を順次シールすることで、それぞれが個別に区画された「朝食後」用、「昼食後」用、「夕食後」用及び「空」の包装体ｈを長手方向Ｘに沿って順次形成していき、さらに一処方Ａに基づいて供給された薬剤を収容した包装シート３００をカッター装置６０にて、連続した、「空」、「朝食後」用、「昼食後」用及び「夕食後」用の四つの包装体ｈからなる包装体群Ｈａ、「朝食後」用、「昼食後」用及び「夕食後」用の三つの包装体ｈからなる包装体群Ｈａ、並びに「朝食後」用、「昼食後」用、「夕食後」用及び「空」の四つの包装体からなる包装体群Ｈａに順次切断していき、図６（Ａ）中のＡに示すように、当該切断された３日分の包装体群Ｈａをベルトコンベア７０にてシート搬送方向Ｘ１に基準搬送速度で搬送していく。
【００４１】
こうして一処方Ａにより薬剤が分包されると、一処方Ａと次段の他処方Ｂとの間はベルトコンベア７０にて包装体群Ｈａを前記基準搬送速度より速い搬送速度で搬送する。
【００４２】
次に、他処方Ｂでは、ベルトコンベア７０の搬送速度を基準搬送速度に戻し、一処方Ａと同様にして、他処方Ｂに基づいて分配された「朝食後」用、「昼食後」用及び「夕食後」用の所定量毎の薬剤をシート３００に順次供給し、当該シート３００を前記一処方Ａの場合と同じサイズで順次シールすることで、それぞれが個別に区画された「朝食後」用、「昼食後」用、「夕食後」用及び「空」の包装体ｈを長手方向Ｘに沿って順次形成していき、さらに他処方Ｂに基づいて供給された薬剤を収容したシート３００をカッター装置６０にて、連続した、「空」、「朝食後」用、「昼食後」用及び「夕食後」用の四つの包装体ｈからなる包装体群Ｈｂ、並びに「朝食後」用、「昼食後」用、「夕食後」用及び「空」の四つの包装体ｈからなる包装体群Ｈｂに順次切断していき、図６（Ａ）中のＢに示すように、当該切断された２日分の包装体群Ｈｂをコンベア７０にて基準搬送速度で搬送していく。
【００４３】
なお、所定の処方において、薬剤を収容したシート３００を、図６（Ｂ）に示すように、「空」及び「朝食後」用の２包の包装体ｈからなる包装体群Ｈａ１、Ｈｂ１、「朝食後」用、「昼食後」用又は「夕食後」用の１包の包装体ｈからなる包装体群Ｈａ２，Ｈｂ２、「夕食後」用及び「空」の２包の包装体ｈからなる包装体群Ｈａ３，Ｈｂ３にそれぞれ切断し、当該切断された包装体群Ｈａ１〜Ｈａ３，Ｈａ１〜Ｈａ３をコンベア７０にて基準搬送速度で搬送し、一処方Ａと次段の他処方Ｂとの間はベルトコンベア７０にて前記基準搬送速度より速い搬送速度で搬送することもある。
【００４４】
また、一の処方Ａでは、シート３００に形成される包装体ｈの長手方向Ｘの幅ｄａを例えば９０ｍｍとし、他処方Ｂでは、シート３００に形成される包装体ｈの長手方向Ｘの幅ｄｂを例えば６０ｍｍとするような場合でも、図７に示すように、切断された包装体群について、一の処方Ａ中は包装体ｈの長手方向Ｘの幅ｄａに応じた基準搬送速度で搬送し、且つ、一処方Ａと次段の他の処方Ｂとの間は、包装体ｈの長手方向Ｘの幅に対応する基準搬送速度のうちの最速の基準搬送速度よりも速い搬送速度で搬送し、さらに他処方Ｂ中は包装体ｈの長手方向Ｘの幅ｄｂに応じた基準搬送速度に戻すことができる。
【００４５】
このように薬剤分包装置１００によると、カッター装置６０にて切断された包装体群について、一処方Ａ中はコンベア７０にて基準搬送速度で搬送し、且つ、一処方Ａと次段の他処方Ｂとの間はコンベア７０にて基準搬送速度より速い搬送速度で搬送し、さらに他処方Ｂ中は基準搬送速度に戻すので、コンベア７０にて搬送される包装体群について、図６（Ａ）及び図７の例では、一処方Ａでの包装体群Ｈａと他処方Ｂでの包装体群Ｈｂとの間の距離Ｒ３が、一処方Ａでの包装体群Ｈａ間の距離Ｒ１及び他処方Ｂでの包装体群Ｈｂ間の距離Ｒ２より大きくなっており、図６（Ｂ）の例では、一処方Ａでの包装体群Ｈａ３と他処方Ｂでの包装体群Ｈｂ１との間の距離Ｒ３が、一処方Ａでの包装体群（Ｈａ１，Ｈａ２）、（Ｈａ２，Ｈａ２）、（Ｈａ２，Ｈａ３）間の距離Ｒ１及び他処方Ｂでの包装体群（Ｈｂ１，Ｈｂ２）、（Ｈｂ２，Ｈｂ２）、（Ｈｂ２，Ｈｂ３）間の距離Ｒ２より大きくなっており、一処方Ａでの包装体群Ｈａ、（Ｈａ１，Ｈａ２，Ｈａ３）と他処方Ｂでの包装体群Ｈｂ、（Ｈｂ１，Ｈｂ２，Ｈｂ３）との見分けが付き易く、従って、包装体群の取り違えを十分抑制でき、それだけ患者に対し正しい包装体を提供することができる。
【図面の簡単な説明】
【００４６】
【図１】図１は、本発明に係る薬剤分包装置の一実施形態の概略斜視図である。
【図２】図２は、図１に示す薬剤分包装置において、薬剤分配装置から薬剤供給装置を経て薬剤が供給される包装シートをヒートシール装置でヒートシールして、個々の包装体を形成する状態を概略的に示す斜視図である。
【図３】図３は、図１に示す薬剤分包装置のヒートシール装置、カッター装置及びベルトコンベア部分を中心に示した概略側面図である。
【図４】図４は、図１に示す薬剤分包装置の制御部を中心に記載した概略システムブロック図である。
【図５】図５は、図１に示す薬剤分包装置の薬剤分包動作の主な処理ルーチンの一例を示すフローチャートである。
【図６】図６は、図１に示す薬剤分包装置において、カッター装置にて切断された包装体群について、一処方中はコンベアにて基準搬送速度で搬送し、且つ、一処方と次段の他処方との間はコンベアにて基準搬送速度より速い搬送速度で搬送し、さらに他処方中は基準搬送速度に戻す状態を示す図である。
【図７】図７は、図１の薬剤分包装置において、切断された包装体群について、一の処中は包装体の長手方向の幅に応じた基準搬送速度で搬送し、且つ、一処方と次段の他の処方との間は、包装体の長手方向の幅に対応する基準搬送速度のうちの最速の基準搬送速度よりも速い搬送速度で搬送し、さらに他処方中は包装体の長手方向Ｘの幅に応じた基準搬送速度に戻す状態を示す図である。
【図８】図８は、従来の薬剤分包装置において、それぞれが個別に区画された複数の包装体が長手方向に沿って並設される長尺の包装シートから分断された１又は連続した２以上の包装体からなる包装体群がベルトコンベアにて順次搬送されていく状態を示す図である。
【符号の説明】
【００４７】
６０…カッター装置  ７０…コンベア  １００…薬剤分包装置  ３００…包装シート  
ｈ…包装体  Ｈ…包装体群  
【図１】
2006001626.tif 000003
【図２】
2006001626.tif 000004
【図３】
2006001626.tif 000005
【図４】
2006001626.tif 000006
【図５】
2006001626.tif 000007
【図６】
2006001626.tif 000008
【図７】
2006001626.tif 000009
【図８】
2006001626.tif 000010